(57)【要約】      （修正有）【課題】単一ヘアクリップでも毛髪を確固で効果的に摘むことができるヘアクリップを提供する。【解決手段】ヘアクリップは、一端に第１押圧部を備える上部クリップ部１；前記上部クリップ部の他端に一端がヒンジ結合される中間クリップ部２；及び前記上部クリップ部の一端に一端がヒンジ結合され、前記第１押圧部１３とともに押圧される第２押圧部３３を備え、前記中間クリップ部を支持する下部クリップ部３；を含む。そして、前記上部クリップ部と前記中間クリップ部は互いに広がる方向に弾性力が加わるようにヒンジ結合され、前記上部クリップ部と前記下部クリップ部は互いに窄む方向に弾性力が加わるようにヒンジ結合され、前記上部クリップ部には前記下部クリップ部に向かって突出する鋸歯状の第１凹凸部１５が形成される。【選択図】図１
2015020061.tif 000002
【特許請求の範囲】
【請求項１】
一端に第１押圧部を備える上部クリップ部；
前記上部クリップ部の他端に一端がヒンジ結合される中間クリップ部；及び
前記上部クリップ部の一端に一端がヒンジ結合され、前記第１押圧部とともに押圧される第２押圧部を備え、前記中間クリップ部を支持する下部クリップ部；
を含み、
前記上部クリップ部と前記中間クリップ部は互いに広がる方向に弾性力が加わるようにヒンジ結合され、前記上部クリップ部と前記下部クリップ部は互いに窄む方向に弾性力が加わるようにヒンジ結合され、
前記上部クリップ部には前記下部クリップ部に向かって突出する鋸歯状の第１凹凸部が形成されることを特徴とする、ヘアクリップ。
【請求項２】
前記第１凹凸部は、前記上部クリップ部の長手方向を基準に前記上部クリップ部の中心部とヒンジ結合部との間に形成されることを特徴とする、請求項１に記載のヘアクリップ。
【請求項３】
前記中間クリップ部には、前記下部クリップ部に向かって突出する鋸歯状の第２凹凸部が形成されることを特徴とする、請求項１に記載のヘアクリップ。
【請求項４】
前記第２凹凸部は、前記中間クリップ部の長手方向を基準に前記中間クリップ部の他端から一端に行くほどその突出長が段々長くなることを特徴とする、請求項３に記載のヘアクリップ。
【請求項５】
前記下部クリップ部は、その他端に行くほど段々幅が小さくなる形状を持つことを特徴とする、請求項１に記載のヘアクリップ。
【請求項６】
前記中間クリップ部の一端には、毛髪を摘むとき、前記下部クリップの他端を収容する収容溝が形成されることを特徴とする、請求項５に記載のヘアクリップ。
【請求項７】
一端に第１押圧部を備え、長手方向に第１貫通孔が形成された上部クリップ部；
一端が前記上部クリップ部の他端にヒンジ結合され、毛髪を摘むとき、他端が前記第１貫通孔に挿入されることができる中間クリップ部；及び
第２押圧部を備え、前記上部クリップ部の一端とヒンジ結合される一端を備え、前記中間クリップ部を支持する下部クリップ部；
を含み、
前記上部クリップ部と前記中間クリップ部は互いに広がる方向に弾性力が加わるようにヒンジ結合され、前記上部クリップ部と前記下部クリップ部は互いに窄む方向に弾性力が加わるようにヒンジ結合されていることを特徴とする、ヘアクリップ。
【請求項８】
前記中間クリップ部は、底面に鋸歯状の突出部が形成されたことを特徴とする、請求項７に記載のヘアクリップ。
【請求項９】
前記下部クリップ部は、毛髪を摘むとき、前記中間クリップ部の一端が通過する第２貫通孔が形成されたことを特徴とする、請求項７に記載のヘアクリップ。
【請求項１０】
前記第１押圧部と前記第２押圧部が互いに近くなるように圧力をかけるとき、前記中間クリップ部の他端が前記下部クリップ部と接触した状態で前記ヘアクリップの入口側にスライドすることで、毛髪が前記上部クリップ部と前記下部クリップ部のヒンジ結合された部分と接触することを防止することを特徴とする、請求項７に記載のヘアクリップ。
【請求項１１】
前記下部クリップ部の上面には互いに平行に突出した一対のレール部が形成され、前記中間クリップ部の突出部が前記一対のレール部の間に位置することを特徴とする、請求項８に記載のヘアクリップ。
【請求項１２】
前記上部クリップ部と前記下部クリップ部のヒンジ結合は、前記上部クリップ部の一端と前記下部クリップ部の一端を貫通して固定されたヒンジピンと、前記ヒンジピンを取り囲むように装着されたコイルスプリングとによってなされることを特徴とする、請求項７に記載のヘアクリップ。
【請求項１３】
前記上部クリップ部と前記中間クリップ部のヒンジ結合は、前記上部クリップ部の他端と前記中間クリップ部の一端を貫通して固定されたヒンジピンと、前記ヒンジピンを取り囲むように装着されたコイルスプリングとによってなされることを特徴とする、請求項７に記載のヘアクリップ。
【請求項１４】
前記下部クリップ部は前記第２貫通孔に近くに位置する支持端を備え、前記中間クリップ部を支持することができることを特徴とする、請求項９に記載のヘアクリップ。
【発明の詳細な説明】
【技術分野】
【０００１】
本発明はヘアクリップに関するものである。
【背景技術】
【０００２】
一般に、ヘアクリップは、家庭または美容室で毛髪のカット、染色などの作業を行うとき、毛髪を摘むために使われている。
【０００３】
図１１及び図１２にはこのようなヘアクリップの一例が示されている。ここで、図１１は従来のヘアクリップの斜視図を示し、図１２は図１１のヘアクリップで毛髪を摘んでいる状態を示す。
【０００４】
従来のヘアクリップは上部クリップ部１００と下部クリップ部２００とからなり、これらの上部クリップ部１００と下部クリップ部２００は互いに窄む方向に弾性力が加わるようにヒンジ結合されている。具体的に、上部クリップ部１００と下部クリップ部２００のヒンジ結合は、上部クリップ部１００の一端１０１と下部クリップ部２００の一端２０１とを貫通して固定されたヒンジピン３００と、ヒンジピン３００を取り囲むように装着されたコイルスプリング４００とによってなされる。
【０００５】
ところが、このような従来のヘアクリップは、毛髪を摘む場合、上部クリップ部１００及び下部クリップ部２００の他端１０２、２０２側は互いに広がるので、上部クリップ部１００及び下部クリップ部２００の他端１０２、２０２に近い部分であるほど、上部クリップ部１００及び下部クリップ部２００の一端１０１、２０１に近い部分に比べ、毛髪を摘む力が相対的に弱くなって毛髪を正常に摘むことができない問題点があった。
【０００６】
このため、毛髪を整えるとか染色するなどのヘア作業中に毛髪の一部はヘアクリップから容易に抜け出て使用者が不便になり、これを防止するために、ヘアクリップを追加して使わなければならない問題点があった。
【発明の概要】
【発明が解決しようとする課題】
【０００７】
本発明の技術的課題は、単一ヘアクリップによっても毛髪を確固で効果的に摘むことができるヘアクリップを提供することである。
【０００８】
また、本発明は明示的に言及した技術的課題の他にも、後述する本発明の構成から達成可能な他の技術的課題も含む。
【課題を解決するための手段】
【０００９】
前記目的を達成するために、本発明の第１実施例によるヘアクリップは、一端に第１押圧部を備える上部クリップ部；前記上部クリップ部の他端に一端がヒンジ結合される中間クリップ部；及び前記上部クリップ部の一端に一端がヒンジ結合され、前記第１押圧部とともに押圧される第２押圧部を備え、前記中間クリップ部を支持する下部クリップ部；を含み、前記上部クリップ部と前記中間クリップ部は互いに広がる方向に弾性力が加わるようにヒンジ結合され、前記上部クリップ部と前記下部クリップ部は互いに窄む方向に弾性力が加わるようにヒンジ結合され、前記上部クリップ部には前記下部クリップ部に向かって突出する鋸歯状の第１凹凸部が形成される。
【００１０】
前記第１凹凸部は、前記上部クリップ部の長手方向を基準に前記上部クリップ部の中心部とヒンジ結合部との間に形成されることができる。
【００１１】
前記中間クリップ部には、前記下部クリップ部に向かって突出する鋸歯状の第２凹凸部が形成されることができる。
【００１２】
前記第２凹凸部は、前記中間クリップ部の長手方向を基準に前記中間クリップ部の他端から一端に行くほどその突出長が段々長くなることできる。
【００１３】
前記下部クリップ部は、その他端に行くほど段々幅が小さくなる形状を持つことができる。
【００１４】
前記中間クリップ部の一端には、毛髪を摘むとき、前記下部クリップの他端を収容する収容溝が形成されることができる。
【００１５】
また、本発明の第２実施例によるヘアクリップは、一端に第１押圧部を備え、長手方向に第１貫通孔が形成された上部クリップ部；一端が前記上部クリップ部の他端にヒンジ結合され、毛髪を摘むとき、他端が前記第１貫通孔に挿入されることができる中間クリップ部；及び第２押圧部を備え、前記上部クリップ部の一端とヒンジ結合される一端を備え、前記中間クリップ部を支持する下部クリップ部；を含み、前記上部クリップ部と前記中間クリップ部は互いに広がる方向に弾性力が加わるようにヒンジ結合され、前記上部クリップ部と前記下部クリップ部は互いに窄む方向に弾性力が加わるようにヒンジ結合されている。
【００１６】
また、前記中間クリップ部は、底面に鋸歯状の突出部が形成される。
【００１７】
また、前記下部クリップ部は、毛髪を摘むとき、前記中間クリップ部の一端が通過する第２貫通孔が形成される。
【００１８】
また、前記第１押圧部と前記第２押圧部が互いに近くなるように圧力をかけるとき、前記中間クリップ部の他端が前記下部クリップ部と接触した状態で前記ヘアクリップの入口側にスライドすることで、毛髪が前記上部クリップ部と前記下部クリップ部のヒンジ結合された部分と接触することを防止する。
【００１９】
また、前記下部クリップ部の上面には互いに平行に突出した一対のレール部が形成され、前記中間クリップ部の突出部が前記一対のレール部の間に位置する。
【００２０】
また、前記上部クリップ部と前記下部クリップ部のヒンジ結合は、前記上部クリップ部の一端と前記下部クリップ部の一端を貫通して固定されたヒンジピンと、前記ヒンジピンを取り囲むように装着されたコイルスプリングとによってなされる。
【００２１】
また、前記上部クリップ部と前記中間クリップ部のヒンジ結合は、前記上部クリップ部の他端と前記中間クリップ部の一端を貫通して固定されたヒンジピンと、前記ヒンジピンを取り囲むように装着されたコイルスプリングとによってなされる。
【００２２】
また、前記下部クリップ部は前記第２貫通孔に近くに位置する支持端を備え、前記中間クリップ部を支持することができる。
【発明の効果】
【００２３】
以上のように、本発明にヘアクリップは次のような効果を持つことができる。
【００２４】
本発明によれば、中間クリップ部は上部クリップ部から広がる方向に弾性力が加わるようにヒンジ結合されているので、中間クリップ部は毛髪方向に広がるように作用し、これによって効果的に毛髪を摘むことができる。
【００２５】
また、本発明によれば、上部クリップ部に下部クリップ部に向かって突出する鋸歯状の第１凹凸部が形成されるので、第１凹凸部によって毛髪がより確かに摘むことができる。特に、第１凹凸部が上部クリップ部の長手方向を基準に上部クリップ部の中心部とヒンジ結合部との間に形成される場合、上部クリップ部の中心部とヒンジ結合部との間に位置する毛髪を第１凹凸部によってより確かに摘まむことができる。
【００２６】
また、本発明によれば、中間クリップ部に下部クリップ部に向かって突出する鋸歯状の第２凹凸部が形成されるので、第２凹凸部によって毛髪をより一層確かに摘まむことができる。特に、第２凹凸部が中間クリップ部の長手方向を基準に中間クリップ部の他端から一端に行くほどその突出長が段々長くなる場合、毛髪が中間クリップ部の一端を通じて外部に抜け出る現象を防止することができる。
【００２７】
また、前記中間クリップ部の一端に、毛髪を摘むときに下部クリップの他端を収容する収容溝が形成されるので、下部クリップ部の他端が中間クリップ部の収容溝に挿入され、毛髪を離脱なしに確かに摘まむことができる。
【００２８】
また、本発明によれば、中間クリップ部の一端が下部クリップ部の第２貫通孔内に挿入され、毛髪を離脱なしに確かに摘まむことができる。
【００２９】
また、摘まれる毛髪の量によって中間クリップ部の他端は上部クリップ部の第１貫通孔を通過することができ、中間クリップ部は上部クリップ部から広がる方向に弾性力が加わるようにヒンジ結合されているので、中間クリップ部は毛髪方向に広がるように作用し、これによって効果的に毛髪を摘むことができるようになる。
【００３０】
また、中間クリップ部の鋸歯状突出部と下部クリップ部のレール部の相互作用によって毛髪をより確かに摘むようになる。
【００３１】
また、中間クリップ部の他端は下部クリップ部の上面に接触した状態でヘアクリップの入口方向にスライドするようになる。これにより、毛髪が上部クリップ部と下部クリップ部のヒンジ結合部分と接触して挟まることを防止することができる。
【図面の簡単な説明】
【００３２】
【図１】本発明の第１実施例によるヘアクリップを示した分解斜視図である。
【図２】図１のヘアクリップを組立てて正面から見たもので、押圧しなかった状態を示した正面図である。
【図３】図２のヘアクリップを最大に押圧した状態を示した正面図である。
【図４】図２のヘアクリップを示した底面図である。
【図５】図２のヘアクリップで毛髪を摘んでいる状態を示した斜視図である。
【図６】本発明の第２実施例によるヘアクリップの主要構成の分解斜視図である。
【図７】図６のヘアクリップを押圧しなかった状態を示す。
【図８】図６のヘアクリップをちょっと押圧した状態を示す。
【図９】図６のヘアクリップを最大に押圧した状態を示す。
【図１０】図６のヘアクリップで毛髪を摘んでいる状態を示す。
【図１１】従来のヘアクリップを示した斜視図である。
【図１２】図１１のヘアクリップで毛髪を摘んでいる状態を示した斜視図である。
【発明を実施するための形態】
【００３３】
以下では図面を参照して本発明による実施例を説明する。
【００３４】
［第１実施例］
まず、図１〜図５を参照して本発明の第１実施例によるヘアクリップ（以下、このヘアクリップと言う）を説明する。図１はこのヘアクリップの主要構成の分解斜視図で、図２は図１のヘアクリップを組立てて正面から見たもので、押圧しなかった状態を示した正面図である。
【００３５】
図１に示すように、このヘアクリップは、上部クリップ部１、中間クリップ部２、及び下部クリップ部３からなる。
【００３６】
まず、上部クリップ部１は、一端１１に使用者が手で摘んで圧力をかけることができる第１押圧部１３を備える。また、上部クリップ部１はその長手方向に沿って長く形成された第１貫通孔１４をさらに備えることができる。そして、図１を基準に上部クリップ部１の断面形状は略Ｓ字形に形成され、多量の毛髪を摘むことができるように大きく屈曲（湾曲）されている。
【００３７】
また、上部クリップ部１には、下部クリップ部３に向かって突出する鋸歯状の第１凹凸部１５がさらに形成されることができる。よって、第１凹凸部１５によって毛髪をより堅固に摘まむことができる。特に、第１凹凸部１５が、上部クリップ部１の長手方向を基準に、上部クリップ部１の中心部と第２ヒンジ結合部（図２のＨ２）との間に形成される場合、上部クリップ部１の中心部と第２ヒンジ結合部Ｈ２との間に位置する毛髪を第１凹凸部１５によってより確かに摘まむことができる。
【００３８】
中間クリップ部２は一端２１が上部クリップ部１の他端１２にヒンジ結合され、毛髪を摘むとき、特に多量の毛髪を摘むとき、他端２２が上部クリップ部１の第１貫通孔１４を通過することができる。このために、中間クリップ部２の他端２２の幅は上部クリップ部１の第１貫通孔１４の幅より小さく形成されることが好ましい。図５を参照すれば、中間クリップ部２の他端２２が上部クリップ部１の第１貫通孔１４に挿入された形態が示されているように、摘まれる毛髪の量によって中間クリップ部２の他端２２が上部クリップ部１の第１貫通孔１４を貫通する程度が決定される。
【００３９】
ここで、上部クリップ部１と中間クリップ部２は互いに広がる方向に弾性力が加わるように第１ヒンジ結合部Ｈ１によって結合されている。具体的に、上部クリップ部１と中間クリップ部２のヒンジ結合のための第１ヒンジ結合部Ｈ１は、上部クリップ部１の他端１２と中間クリップ部２の一端２１を貫通して固定されたヒンジピン１０と、ヒンジピン１０を取り囲むように装着され、上部クリップ部１と中間クリップ部２が互いに広がる方向に弾性力を加えるコイルスプリング３０とによってなされることができる。
【００４０】
また、中間クリップ部２の底面（つまり、下部クリップ部３に向かう面）には、下部クリップ部３に向かう方向に突出する鋸歯状の第２凹凸部２３が長手方向におよそ平行に一対が形成されている。参考として、図１には一つの第２凹凸部２３のみ示されており、紙面方向において反対側に位置する他の第２凹凸部２３は図面に示されていない。
【００４１】
特に、第２凹凸部２３は、中間クリップ部２の長手方向を基準に中間クリップ部２の他端２２から一端２１に行くほどその突出長が段々長くなることができる。このように、第２凹凸部２３の突出長が一端２１に行くほど段々長くなる場合、毛髪が中間クリップ部２の一端２１を通じて外部に抜け出る現象を防止することができる。
【００４２】
下部クリップ部３は第２押圧部３３を備え、上部クリップ部１の一端１１とヒンジ結合する一端３１を備える。そして、下部クリップ部３は中間クリップ部２を支持する。また、下部クリップ部３の一端３１には、第１押圧部１３と一緒に押圧される第２押圧部３３を備えることができる。
【００４３】
ここで、上部クリップ部１と下部クリップ部３は互いに窄む方向、つまりヘアクリップの入口（図３のＡ）が閉まる方向に弾性力が加わるように第２ヒンジ結合部Ｈ２によってヒンジ結合されている。例えば、上部クリップ部１と下部クリップ部３のヒンジ結合のための第２ヒンジ結合部Ｈ２は、上部クリップ部１の一端１１と下部クリップ部３の一端３１を貫通して固定されたヒンジピン２０と、ヒンジピン２０を取り囲むとともに上部クリップ部１と下部クリップ部３が互いに窄む方向に弾性力を加えるコイルスプリング４０とによってなされることができる。
【００４４】
また、図１及び図４に示したように、下部クリップ部３はその他端３２に行くほど段々幅が小さくなる形状を持つことができる。よって、デザインの側面を考慮して、下部クリップ部３の全体外観をよりスリム（ｓｌｉｍ）にすることができる。一方、図４をさらに参照すれば、前述した下部クリップ部３の形状とともに、中間クリップ部２の一端には、毛髪を摘むときに下部クリップ３の他端を収容する収容溝２４が形成されることができる。よって、中間クリップ部２の一端２１に収容溝２４が形成されるので、下部クリップ部３の他端３２が中間クリップ部２の収容溝２４に挿入され、毛髪を離脱なしに確かに摘まむことができる。
【００４５】
また、下部クリップ部３の他端３２は自由端として形成されている。使用者が第１押圧部１３及び第２押圧部３３が互いに近くなるように圧力をかけるとき、中間クリップ部２の他端２２が下部クリップ部３の上面に接触した状態でヘアクリップの入口Ａの方向にスライドすることで、毛髪が上部クリップ部１と下部クリップ部３のヒンジ結合された第２ヒンジ結合部Ｈ２に挟まる現象を防止することができる。一方、中間クリップ部２の他端２２のスライドに役立てるために、下部クリップ部３の上面には、中間クリップ部２の他端２２をガイドするガイド壁３６が形成されることができる。
【００４６】
以下では、前記のような構成を持つ本発明の一実施例によるヘアクリップの動作について説明する。
【００４７】
ここで、図３はヘアクリップを最大に押圧した状態を示し、図４はヘアクリップの底面を示し、そして図５はヘアクリップの押圧を解除して毛髪を摘んでいる状態を示す。
【００４８】
図３に示したように、使用者は、毛髪を摘むために、上部クリップ部１の第１押圧部１３と下部クリップ部３の第２押圧部３３を互いに近くなる方向に押圧して所望の程度にヘアクリップの入口Ａを開ける。
【００４９】
この際、中間クリップ部２も上部クリップ部１に対して相対的に広がる方向に動くようになり、中間クリップ部２の他端２２は下部クリップ部３の上面に接触した状態でヘアクリップの入口Ａ方向にスライドするようになる。これにより、毛髪が第２ヒンジ結合部Ｈ２に挟まることを防止することができる。
【００５０】
次に、所望程度の毛髪を中間クリップ部２と下部クリップ部３との間に入れた状態で、上部クリップ部１の第１押圧部１３及び下部クリップ部３の第２押圧部３３に対する押圧を解除すれば、毛髪を上部クリップ部１の第１凹凸部１５と下部クリップ部３との間、及び中間クリップ部２の第２凹凸部２３と下部クリップ部３との間で摘むようになる。特に、上部クリップ部１の第１凹凸部１５によって上部クリップ部１の中心部と第２ヒンジ結合部Ｈ２との間に位置する毛髪をより確かに摘まむことができる。
【００５１】
この際、図４に示したように、中間クリップ部２の一端２１に形成された収容溝２４に下部クリップ部３の他端３２が挿入され、毛髪をヘアクリップからの離脱なしにより確かに摘むことができるようにする。
【００５２】
また、摘まれる毛髪の量によって中間クリップ部２の他端２２は上部クリップ部１の第１貫通孔１４を通過することができ、中間クリップ部２は上部クリップ部１から広がる方向に弾性力が加わるようにヒンジ結合されているので、中間クリップ部２は毛髪のある方向に広がるように作用し、これによって毛髪を効果的に摘むことができるようになる。さらに、中間クリップ部２の鋸歯状の第２凹凸部２３と下部クリップ部３との相互作用によって毛髪をより確かに摘むようになる。また、第２凹凸部２３の突出長が中間クリップ部２の一端２１に行くほど段々長くなるので、毛髪が一端２１を通じて外部に抜け出る現象を防止することができる。
【００５３】
このように、本発明によるヘアクリップは、多量の毛髪を一度に摘むことができるようにし、また上部クリップ部と中間クリップ部との間のヒンジ結合及び上部クリップ部と下部クリップ部との間のヒンジ結合によって、摘んだ毛髪を下がるとか抜け出ないように堅固に摘むことができるようにする。
【００５４】
［第２実施例］
次に、図６〜図１０を参照して本発明の第２実施例によるヘアクリップ（以下、このヘアクリップと言う）について説明する。
【００５５】
図６はこのヘアクリップの主要構成の分解斜視図、図７は図６のヘアクリップを押圧しなかった状態を示す。
【００５６】
図６に示すように、このヘアクリップは、上部クリップ部１、中間クリップ部２、及び下部クリップ部３からなる。
【００５７】
まず、上部クリップ部１は、一端１１に、使用者が手で摘んで圧力をかけることができる第１押圧部１３と、長手方向に沿って長く形成された第１貫通孔１４とを備える。そして、図６を基準に上部クリップ部１の断面形状は略Ｓ字形に形成され、多量の毛髪を摘むことができるように大きく屈曲されている。
【００５８】
中間クリップ部２は、一端２１が上部クリップ部１の他端１２にヒンジ結合され、毛髪を摘むとき、特に多量の毛髪を摘むとき、他端２２が上部クリップ部１の第１貫通孔１４を通過することができる。このために、中間クリップ部２の他端２２の幅は上部クリップ部１の第１貫通孔１４の幅より小さく形成されることが好ましい。図１０を参照すれば、中間クリップ部２の他端２２が上部クリップ部１の第１貫通孔１４に挿入された形態が示されているように、摘まれる毛髪の量によって中間クリップ部２の他端２２が上部クリップ部１の第１貫通孔１４を貫通する程度が決定される。
【００５９】
ここで、上部クリップ部１と中間クリップ部２は互いに広がる方向に弾性力が加わるようにヒンジ結合されている。具体的に、上部クリップ部１と中間クリップ部２のヒンジ結合は、上部クリップ部１の他端１２と中間クリップ部２の一端２１を貫通して固定されたヒンジピン１０と、ヒンジピン１０を取り囲むように装着され、上部クリップ部１と中間クリップ部２が互いに広がる方向に弾性力を加えるコイルスプリング３０とによってなされることができる。
【００６０】
また、中間クリップ部２の底面には一対の鋸歯状の突出部２３が長手方向におよそ平行に形成されている。図６には一つの突出部２３のみが示されており、紙面方向において反対側（紙面の裏側）に位置する他の一つの突出部２３は図面に示されていない。
【００６１】
下部クリップ部３は第２押圧部３３を備え、かつ上部クリップ部１の一端１１とヒンジ結合する一端３１を備える。そして、下部クリップ部３は中間クリップ部２を支持する。
【００６２】
ここで、上部クリップ部１と下部クリップ部３は、互いに窄む方向、つまりヘアクリップの入口Ａが閉まる方向に弾性力が加わるようにヒンジ結合されている。例えば、上部クリップ部１と下部クリップ部３のヒンジ結合は、上部クリップ部１の一端１１と下部クリップ部３の一端３１を貫通して固定されたヒンジピン２０と、ヒンジピン２０を取り囲むとともに上部クリップ部１と下部クリップ部３が互いに窄む方向に弾性力を加えるコイルスプリング４０とによってなされることができる。
【００６３】
また、下部クリップ部３は、毛髪を摘むとき、中間クリップ部２の一端２１が通過する第２貫通孔３４を備える。摘む毛髪の量によって、互いにヒンジ結合されている中間クリップ部２の一端２１と上部クリップ部１の他端１２が共に第２貫通孔３４に挿入されることもできる。
【００６４】
また、下部クリップ部３には、中間クリップ部２の支持のために、第２貫通孔３４に近くに支持端３７が形成されることができる。
【００６５】
また、下部クリップ部３の上面には、互いに平行に突出した一対のレール部３５が形成されることができる。これら一対のレール部３５間の距離は中間クリップ部２の突出部２３が一対のレール部３５の間に位置するように設定され、毛髪を確かに摘まむことができるようにすることが好ましい。
【００６６】
また、下部クリップ部３の他端２２は自由端として形成されている。使用者が第１押圧部１３及び第２押圧部３３が互いに近くなるように圧力をかけるとき、中間クリップ部２の他端２２が下部クリップ部３の上面に接触した状態でヘアクリップの入口Ａ方向にスライドすることで、毛髪が上部クリップ部１と下部クリップ部３のヒンジ結合された部分と接触して挟まることを防止する。一方、中間クリップ部２の他端２２のスライドに役立てるために、下部クリップ部３の上面には、中間クリップ部２の他端２２をガイドするガイド壁３６が形成されることができる。
【００６７】
以下では、前記のような構成を持つ本発明の第２実施例によるヘアクリップの動作について説明する。
【００６８】
ここで、図８はヘアクリップを少し押圧した状態を示し、図９はヘアクリップを最大に押圧した状態を示し、図１０はヘアクリップの押圧を解除して毛髪を摘んでいる状態を示す。
【００６９】
図８及び図９に示したように、使用者は、毛髪を摘むために、上部クリップ部１の押圧部１３と下部クリップ部３の押圧部３３を互いに近くなる方向に押圧して所望の程度にヘアクリップの入口Ａを開ける。
【００７０】
この際、中間クリップ部２も上部クリップ部１に対して相対的に広がる方向に動くようになる。中間クリップ部２の他端２２は下部クリップ部３の上面に接触した状態でヘアクリップの入口Ａの方向にスライドするようになる。これにより、毛髪が上部クリップ部１と下部クリップ部３のヒンジ結合された部分と接触して挟まることを防止することができる。
【００７１】
次に、所望の程度に毛髪を中間クリップ部２と下部クリップ部３の間に入れた状態で、上部クリップ部１の押圧部１３及び下部クリップ部３の押圧部３３に対する押圧を解除すれば、毛髪を中間クリップ部２と下部クリップ部３との間で摘むようになる。
【００７２】
この際、図１０に示したように、中間クリップ部２の一端２１は下部クリップ部３の第２貫通孔３４内に挿入され、毛髪をヘアクリップからの離脱なしにより確かに摘まむことができるようにする。
【００７３】
また、摘まれる毛髪の量によって中間クリップ部２の他端２２は上部クリップ部１の第１貫通孔１４を通過することができ、中間クリップ部２は上部クリップ部１から広がる方向に弾性力が加わるようにヒンジ結合されているので、中間クリップ部２は毛髪方向に広がるように作用し、これにより毛髪を効果的に摘むことができるようになる。さらに、中間クリップ部２の鋸歯状突出部２３と下部クリップ部３のレール部３５の相互作用によって毛髪をより確かに摘むようになる。
【００７４】
このように、本発明の第２実施例によるヘアクリップは、多量の毛髪を一度に摘むことができるようにし、また上部クリップ部と中間クリップ部間のヒンジ結合及び上部クリップ部と下部クリップ部間のヒンジ結合によって、摘んだ毛髪を下がるとか抜け出ないように堅固に摘むことができるようにする。
【００７５】
以上、本発明の実施例を説明したが、本発明の権利範囲はこれに限定されなく、本発明の実施例から本発明が属する技術分野で通常の知識を持った者によって容易に変更して均等な範囲内のすべての変更及び修正を含む。
【図１】
2015020061.tif 000003
【図２】
2015020061.tif 000004
【図３】
2015020061.tif 000005
【図５】
2015020061.tif 000006
【図６】
2015020061.tif 000007
【図７】
2015020061.tif 000008
【図８】
2015020061.tif 000009
【図９】
2015020061.tif 000010
【図１０】
2015020061.tif 000011
【図１１】
2015020061.tif 000012
【図１２】
2015020061.tif 000013
【図４】
2015020061.tif 000014